(57)【特許請求の範囲】
【請求項１】
真空発生装置（１）の作動によって供液源（５）の固液を揚送管（４）を介して固液回収タンク（２）内へ揚送する固液吸排装置において、傾斜状に立設された固液回収タンク（２）の下底部傾斜面に矩形状の排出口（３）を開設し、該排出口（３）の口縁部に角筒状弾性膜体の上縁部を嵌着して相対する側壁（９ａ）（９ａ）の下方部に夫々内屈状の折り込み線（１０）（１０）を縦設することにより常開型リップ弁（７）となし、固液回収タンク（２）内の圧力が大気圧と均衡しているときは前記側壁（９ａ）（９ａ）と直交状に対向する前壁（９ｂ）および後壁（９ｃ）が平行状に離隔して矩形状の排出口（３）を開放させ、固液回収タンク（２）内の圧力が大気圧よりも低くなれば前壁（９ｂ）と後壁（９ｃ）が互に近接して面接触による閉合状態を形成することで矩形状の排出口（３）を閉塞するよう構成したことを特徴とする固液吸排装置。
【発明の詳細な説明】
【０００１】
【発明の技術分野】
本発明は、真空吸引方式による固液吸排装置に関するものである。
【０００２】
【従来技術とその問題点】
従来から、例えば図１０に見られるよう、吐液口３′を設けた貯液槽２′ｂ内に水中ポンプ１′を沈設し、該水中ポンプ１′のポンプ吐出口１′ｂを貯液槽２′ｂ内に開口させると共に、吸液口４′を設けた吸引槽２′ａをポンプ吸込口１′ａへ連通させた液体吸排装置は公知である。
【０００３】
しかしこのような液体吸排装置は、固形物を含んだ汚水や汚泥の吸排用として用いた場合に、固形物が貯液槽２′ｂ内に沈澱して排出されず堆積し、また、繊維状の夾雑物が水中ポンプ１′のインペラーやシャフトに絡み付いて閉塞を生じさせるという欠点がある。
【０００４】
【発明の目的】
本発明の目的は、このような従来の欠点を払拭し、汚水や汚泥の吸排用に供しても固形物が回収タンク内に堆積することなく完全に排出せられ、また、絡み付きや閉塞の生じない固液吸排装置を提供することにある。
【０００５】
【発明の構成】
本発明では、真空発生装置の作動によって供液源の固液を揚送管を介して固液回収タンク内へ揚送する固液吸排装置において、傾斜状に立設された固液回収タンクの下底部傾斜面に矩形状の排出口を開設し、該排出口の口縁部に角筒状弾性膜体の上縁部を嵌着して相対する側壁の下方部に夫々内屈状の折り込み線を縦設することにより常開型リップ弁となし、固液回収タンク内の圧力が大気圧と均衡しているときは前記側壁と直交状に対向する前壁および後壁が平行状に離隔して矩形状の排出口を開放させ、固液回収タンク内の圧力が大気圧よりも低くなれば前壁と後壁が互に近接して面接触による閉合状態を形成することで矩形状の排出口を閉塞するよう構成した。
【０００６】
【実施例】
以下実施例の図面により説明をする。
【０００７】
図１および図２において、１は水封式の真空ポンプ等を用いた真空発生装置、２は真空発生装置１の作動によって負圧とされる固液回収タンクであって、その下底部傾斜面には矩形状の排出口３が穿設されている。４は固液回収タンク２の上方部より導下された揚送管であって、その導下先端部４ｅは供液源５内へ導入開口されている。６は真空発生装置１の吸気口を固液回収タンク２の上方部へ導通させた通気管である。７は上記矩形状の排出口３に装着された常開型のリップ弁であって、図３および図４にみられるような角筒状弾性膜体の上縁部を図５に示すような取付枠８を介して前記排出口３の孔縁部に嵌着し、該孔縁部から導下されたガイドプレート８ｇ，８ｇに沿って相対する側壁９ａ，９ａの下方部に夫々内屈状の折り込み線１０，１０を縦設し、固液回収タンク２内の圧力が大気圧と均衡しているときは、上記側壁９ａ，９ａと直交状に対向する前壁９ｂおよび後壁９ｃが、図６および図７に示すよう平行状に離隔して矩形状の排出口３を開放させ、固液回収タンク２内の圧力が大気圧よりも低くなれば、側壁９ａ，９ａと直交する前壁９ｂおよび後壁９ｃの下方部が、図８および図９に示すよう互いに近接して面接触による閉合状態を形成することで矩形状の排出口３を閉塞する。１１は後壁９ｃの下面上方部の強度を補強するための補強プレートである。
【０００８】
【作用】
真空発生装置１が駆動していないときの固液回収タンク２内の圧力は、大気圧と同じであるため、常開型リップ弁７は自らの弾力により開放状態を保持している。
【０００９】
しかし真空発生装置１を駆動すれば固液回収タンク２の矩形状排出口３から空気を吸引してその吸気作用により図１に示すよう常開型リップ弁７は閉成し、真空発生装置１の駆動を継続することにより固液回収タンク２内は負圧となるため供液源５の固液は揚送管４により揚送されて固液回収タンク２内へ回収されるが、このとき固液回収タンク２内の圧力は降下しているため常開型リップ弁７には大気圧力との差圧分の圧力が作用し、矩形状排出口３を強固に閉塞して固液回収タンク２内からの固液流出が阻止されると共に気密性も保持されることになる。
【００１０】
そして供液源５内に固液が存在しなくなったとき、または揚送管４の導火線下先端部４ｅを供液源５の液面上へ引き揚げることにより、揚送管４から通気作用を生じて固液回収タンク２内の真空度は下がるため図２に示すよう常開型リップ弁７は開状態に復帰し、固液回収タンク２内に貯溜されていた固液は、タンク周壁の傾斜面に沿って下降して矩形状排出口３から排出せられ、別途搬送機関１２に積載されて所定の廃棄場所へと運ばれるのである。
【００１１】
矩形状排出口３からの固液排出が終われば、固液の存在する供液源５内へ揚送管４の導下先端部４ｅを挿入することにより再び固液回収タンク２内への固液回収が行われる。このようにして固液の回収と排出を反復して行わせることができる。
【００１２】
【発明の効果】
水中ポンプ１′のポンプケーシング内を通過させて液体の吸排作用を行わせる従来の液体吸排装置では、吸液中の固形物が貯液槽２′ｂ内に沈澱して排出されず堆積し、また、繊維状の夾雑物が水中ポンプ１′のインペラーやシャフトに絡み付いて閉塞を生じるため、固形物を含んだ汚水や汚泥の吸排用には供し難いという欠点がある。
【００１３】
これに対し本発明装置においては、供液源５の固液はポンプ内を通ることなく、揚送管４を通って固液回収タンク２内へ回収されたのち、常開型リップ弁７の装着された矩形状排出口３から排出されるのであり、内部に回転機構の存在しない構造であるため、この装置を汚水や汚泥の吸排用に供した場合でも、従来のように固形物がポンプ内に絡み付いたり閉塞を生じたりするおそれがなく極めて安全である。
【図面の簡単な説明】
【図１】  本発明固液吸排装置の管路構成図であって、固液回収時の状態を示す。
【図２】  本発明固液吸排装置の管路構成図であって、固液排出時の状態を示す。
【図３】  本発明固液吸排装置に装着される常開型リップ弁を構成する角筒状弾性膜体の開状態における斜視図である。
【図４】  本発明固液吸排装置に装着される常開型リップ弁を構成する角筒状弾性膜体の閉状態における斜視図である。
【図５】  本発明固液吸排装置に装着される常開型リップ弁の取付枠の斜視図である。
【図６】  本発明固液吸排装置に装着される常開型リップ弁の開状態における縦断側面図である。
【図７】  図６のＡ−Ａ線における横断平面図である。
【図８】  本発明固液吸排装置に装着される常開型リップ弁の閉状態における縦断側面図である。
【図９】  図８のＢ−Ｂ線における横断平面図である。
【図１０】  従来から多用されている液体吸排装置の縦断側面図である。
【符号の説明】
１    真空発生装置
２    固液回収タンク
３    矩形状の排出口
４    揚送管
５    供液源
７    常開型リップ弁
９ａ  側壁
９ｂ  前壁
９ｃ  後壁
１０  折り込み線
【図１】
0003670022.tif 000002
【図２】
0003670022.tif 000003
【図３】
0003670022.tif 000004
【図４】
0003670022.tif 000005
【図５】
0003670022.tif 000006
【図６】
0003670022.tif 000007
【図７】
0003670022.tif 000008
【図８】
0003670022.tif 000009
【図９】
0003670022.tif 000010
【図１０】
0003670022.tif 000011